(57)【要約】【課題】  従来の縦棧工法は、縦棧を凸部に係止し、かつ凸部に隣接して設けた平坦部に載接する構成で、二点支持が確保された係合では、安定した葺設が図れる。しかし、縦棧と凸部及び平坦部とによる載置で、二点支持構造であることから、葺設の際に違和感を覚えること、また縦棧の寸法が規定されること等の問題がある。【構成】  本発明は、棧山尻隅切込みと、差込み頭隅切込みを備えた瓦本体の表面に水返し突条と釘孔とを形成し、その裏面に引掛けと横棧当接突起とを設け、この裏面に横棧当接突起に併設して横棧係止突起を設け、さらに裏面の差込み尻隅側に削り面を設けた防災瓦である。使用できる縦棧の範囲の拡充と、縦棧と横棧当接突起との当接面積の拡充が図れる。【選択図】      図７
2005325574.tif 000002
【特許請求の範囲】
【請求項１】
棧山尻隅切込みを備えた棧山部と、凹形状を呈する谷部と、差込み頭隅切込みを備えた差込み部とで構成する瓦本体であって、
この瓦本体の表面に、水返し突条と釘孔とを形成し、
またこの瓦本体の裏面に、屋根地に設けた横棧の上面に引掛ける引掛けと、この屋根地に設けた縦棧の側面に係止される横棧当接突起とを設け、さらにこの横棧当接突起に縦設して横棧係止突起を設け、この横棧当接突起及び／又は横棧係止突起を、屋根地に設けた横棧の表面に当接し、
前記瓦本体の裏面であって、その差込み尻隅側に、この瓦本体の裏面の頭側から尻側に向かって深く形成した方形状の削り面を設け、この削り面を前記縦棧の表面に当接した構成の瓦。
【請求項２】
請求項１に記載の棧山尻隅切込みの棧山裏面に係止凹片を設け、また差込み頭隅切込みに係止凸片を設けた構成の瓦。
【請求項３】
棧山尻隅切込みを備えた棧山部と、凹形状を呈する谷部と、差込み頭隅切込みを備えた差込み部とで構成する瓦本体であって、
この瓦本体の表面に、水返し突条と釘孔とを形成し、
またこの瓦本体の裏面に、屋根地に設けた横棧の上面に引掛ける引掛けと、この屋根地に設けた縦棧の側面に係止される横棧当接突起とを設け、さらにこの横棧当接突起に縦設して横棧係止突起を設け、この横棧当接突起及び／又は横棧係止突起を、屋根地に設けた横棧の表面に当接し、
前記瓦本体の裏面であって、その差込み尻隅側に、この瓦本体の裏面の頭側から尻側に向かって深く形成した方形状の削り面を設け、この削り面を前記縦棧の表面に当接した構成の瓦を利用した縦棧工法であって、
この瓦の削り面と横棧とで形成される隙間に挿入できる前記縦棧を予め前記横棧の桁方向に設け、この縦棧と横棧とを利用して当該瓦を葺設するに際し、この縦棧に前記横棧当接突起の側面を当接し、この瓦の桁方向の位置を決定し、また前記引掛けを当該横棧に係止し、当該瓦の棟方向の位置を決定し、この桁・棟方向の位置の決定で、この瓦の葺設を終了するとともに、この横棧当接突起及び／又は横棧係止突起に、当該横棧の表面を当接し、この瓦のガタツキを防止することを特徴とした縦棧工法。
【発明の詳細な説明】
【技術分野】
【０００１】
本発明は、防災瓦又は和形瓦等の瓦と、この防災瓦又は和形瓦等の瓦を利用した縦棧工法に関する。
【背景技術】
【０００２】
従来の防災瓦（瓦）を利用した縦棧工法として、文献（１）と、文献（２）とが挙げられる。この文献（1）は、特開平８−３０２９１０号の「瓦の葺設工法」である。この発明は、屋根面の勾配方向に間隔をおいて横棧木を配設するとともに、この横棧木の上に交差して縦棧木を間隔をおいて配設し、瓦の裏面後部に、横棧木に係止する係止用凸起と、縦棧木の側面に当接係合する凸部もしくは切欠段面による係合部とを形成した構成であり、係止用凸起を横棧木に係止し、係合部を縦棧木の一方の側面に沿わせて係合して葺設し、各瓦を葺設する瓦の葺設工法であり、確実かつ簡便な葺設と、美麗で精度のよい葺設を意図する。また文献（２）は、特開平１１−３５０６６４号の「安定駒利用の耐震、耐風瓦工法」である。この発明は、屋根地に多数本の横棧及び縦棧を葺設し、この横棧に屋根瓦の尻側裏面に設けた引掛けを係止し、縦棧に屋根瓦の尻側裏面に設けた安定駒の差込み側の側面を当接し、この当接時に、前記安定駒の底面が横棧に直接当接して安定的に葺工される構成であり、少なくとも瓦の桁方向への葺設の簡便化・確実化を図りつつ、葺き上げ精度の向上を図ること、又は必要により縦棧と横棧との併用を図り作業・管理の簡略化を図ること等を意図する。また引掛けと横棧との確実な当接を図り、屋根瓦の飛散防止、耐震性向上、雨仕舞の向上等を図ることを意図する。
【０００３】
【特許文献１】特開平８−３０２９１０号
【０００４】
【特許文献２】特開平１１−３５０６６４号
【発明の開示】
【発明が解決しようとする課題】
【０００５】
前記文献（１）は、縦棧を凸部に係止し、かつ凸部に隣接して設けた平坦部に載接する構成（この構成を載置とする）であり、この二点支持が確保された係合では、安定した葺設が図れる特徴がある。しかし、この二点支持と、この二点支持を図るための構成には、少なからず改良点がある。例えば、（イ）縦棧と凸部及び平坦部とによる載置で、二点支持構造であることから、葺設の際に違和感を覚えること、また縦棧の寸法が規定されること等の問題がある。また瓦が欠損し、この凸部、平坦部の何れか一方に不具合が発生した場合には、前記載置関係が確保されず、安定した葺設が図れない。（ロ）瓦を特殊な形状に成形することから歩留まりの低下が考えられる。（ハ）この係合関係の不具合の場合、また縦棧が朽ちり、又は損傷した場合には、瓦のぐらつきが発生し、このぐらつきに基づくトラブルが考えられる。
【０００６】
また文献（２）は、縦棧を安定駒の差込み側の側面に当接する際に、この安定駒の底面が横棧に直接当接して安定的に葺工される構成である。この構成は、瓦への荷重に対しては有効である。しかし、更なる防災を意図した場合には、改良すべき点が挙げられる。例えば、（ニ）安定駒の桁方向の長さが十分とは云えないので、安定駒の底面が横棧に直接当接する構成が確保されないことがあり得る。（ホ）縦棧は、横棧の表面と瓦の瓦本体の尻側裏面とで形成される空間に設けられる構成であるので、縦棧の寸法が限定される虞があり、汎用性を考えた際には、改良点と考えられる。
【課題を解決するための手段】
【０００７】
請求項１の発明は、この縦棧工法の瓦に削り面を設けたことで、これに関係（係合）する縦棧は大きな形態でも可能となり、使用できる縦棧の範囲の拡充と、縦棧と横棧当接突起との当接面積の拡充とを図ること等を意図する。また縦棧の使用範囲の拡充で、当該瓦の汎用性と、葺設の容易化等に寄与することを意図する。
【０００８】
請求項１は、棧山尻隅切込みを備えた棧山部と、凹形状を呈する谷部と、差込み頭隅切込みを備えた差込み部とで構成する瓦本体であって、
この瓦本体の表面に、水返し突条と釘孔とを形成し、
またこの瓦本体の裏面に、屋根地に設けた横棧の上面に引掛ける引掛けと、この屋根地に設けた縦棧の側面に係止される横棧当接突起とを設け、さらにこの横棧当接突起に併設して横棧係止突起を設け、この横棧当接突起及び／又は横棧係止突起を、屋根地に設けた横棧の表面に当接し、
前記瓦本体の裏面であって、その差込み尻隅側に、この瓦本体の裏面の頭側から尻側に向かって深く形成した方形状の削り面を設け、この削り面を前記縦棧の表面に当接した構成の瓦である。
【０００９】
請求項２の発明は、請求項１の目的達成と、瓦を屋根地に葺設する際に、尻側の葺き勾配を考慮した削り面とし、縦棧との容易な当接と、当接の安定性とを図ることを意図する。
【００１０】
請求項２は、請求項１に記載の棧山尻隅切込みの棧山裏面に係止凹片を設け、また差込み頭隅切込みに係止凸片を設けた構成の瓦である。
【００１１】
請求項３の発明は、屋根地に葺設された縦棧は、この瓦に設けた削り面と横棧との間に形成された隙間に収まるように葺設する工法であることから、瓦の葺設を容易に行うこと、また削り面の尻側が深く形成されていることから、葺設の際に、手間と熟練された技術を要さず行うこと等を意図する。また横棧に当接する瓦の部位を、横棧当接突起及び／又は横棧係止突起とする構成であり、瓦を横棧と縦棧に係止するとともに、屋根地に確実にガタツキなく葺設できる葺設工法の提供を意図する。そして、この際に、横棧と横棧当接突起及び／又は横棧係止突起との当接面積の拡充が図れるので、横棧に引掛けを係止した後の葺設作業の簡略化、迅速化等を図ることを意図する。
【００１２】
請求項３は、棧山尻隅切込みを備えた棧山部と、凹形状を呈する谷部と、差込み頭隅切込みを備えた差込み部とで構成する瓦本体であって、
この瓦本体の表面に、水返し突条と釘孔とを形成し、
またこの瓦本体の裏面に、屋根地に設けた横棧の上面に引掛ける引掛けと、この屋根地に設けた縦棧の側面に係止される横棧当接突起とを設け、さらにこの横棧当接突起に縦設して横棧係止突起を設け、この横棧当接突起及び／又は横棧係止突起を、前記屋根地に設けた横棧の表面に当接し、
前記瓦本体の裏面であって、その差込み尻隅側に、この瓦本体の裏面の頭側から尻側に向かって深く形成した方形状の削り面を設け、この削り面を前記縦棧の表面に当接する構成の瓦を利用した縦棧工法であって、
この瓦の削り面と横棧とで形成される隙間に挿入できる前記縦棧を予め前記横棧の桁方向に設け、この縦棧と横棧とを利用して当該瓦を葺設するに際し、この縦棧に前記横棧当接突起の側面を当接し、この瓦の桁方向の位置を決定し、また前記引掛けを当該横棧に係止し、当該瓦の棟方向の位置を決定し、この桁・棟方向の位置の決定で、この瓦の葺設を終了するとともに、この横棧当接突起及び／又は横棧係止突起に、当該横棧の表面を当接し、この瓦のガタツキを防止することを特徴とした縦棧工法である。
【発明の効果】
【００１３】
請求項１の発明は、棧山尻隅切込みを備えた棧山部と、凹形状を呈する谷部と、差込み頭隅切込みを備えた差込み部とで構成する瓦本体であって、
瓦本体の表面に、水返し突条と釘孔とを形成し、
また瓦本体の裏面に、屋根地に設けた横棧の上面に引掛ける引掛けと、屋根地に設けた縦棧の側面に係止される横棧当接突起とを設け、さらに横棧当接突起に縦設して横棧係止突起を設け、横棧当接突起及び／又は横棧係止突起を、屋根地に設けた横棧の表面に当接し、
瓦本体の裏面であって、差込み尻隅側に、瓦本体の裏面の頭側から尻側に向かって深く形成した方形状の削り面を設け、この削り面を前記縦棧の表面に当接した瓦である。
【００１４】
従って、請求項１は、この縦棧工法の瓦に削り面を設けたことで、これに関係（係合）する縦棧は大きな形態でも可能となり、使用できる縦棧の範囲の拡充と、縦棧と横棧当接突起との当接面積の拡充が図れること等の特徴がある。また縦棧の使用範囲の拡充は、当該瓦の汎用性と、葺設の容易化等に寄与できることが考えられる。
【００１５】
請求項２の発明は、請求項１に記載の棧山尻隅切込みの棧山裏面に係止凹片を設け、また差込み頭隅切込みに係止凸片を設けた瓦である。
【００１６】
従って、請求項２は、請求項１に記載の目的達成と、瓦を屋根地に葺設する際に、尻側の葺き勾配を考慮した削り面とし、縦棧との容易な当接と、当接の安定性とが図れること等の特徴がある。
【００１７】
請求項３の発明は、棧山尻隅切込みを備えた棧山部と、凹形状を呈する谷部と、差込み頭隅切込みを備えた差込み部とで構成する瓦本体であって、
瓦本体の表面に、水返し突条と釘孔とを形成し、
また瓦本体の裏面に、屋根地に設けた横棧の上面に引掛ける引掛けと、屋根地に設けた縦棧の側面に係止される横棧当接突起とを設け、さらに横棧当接突起に縦設して横棧係止突起を設け、横棧当接突起及び／又は横棧係止突起を、屋根地に設けた横棧の表面に当接し、
瓦本体の裏面であって、差込み尻隅側に、瓦本体の裏面の頭側から尻側に向かって深く形成した方形状の削り面を設け、削り面を縦棧の表面に当接する構成の瓦を利用した縦棧工法であって、
瓦の削り面と横棧とで形成される隙間に挿入できる縦棧を予め横棧の桁方向に設け、縦棧と横棧とを利用して瓦を葺設するに際し、縦棧に横棧当接突起の側面を当接し、瓦の桁方向の位置を決定し、また引掛けを横棧に係止し、瓦の棟方向の位置を決定し、桁・棟方向の位置の決定で、瓦の葺設を終了するとともに、横棧当接突起及び／又は横棧係止突起に、横棧の表面を当接し、瓦のガタツキを防止する縦棧工法である。
【００１８】
従って、請求項３は、屋根地に葺設された縦棧は、この瓦に設けた削り面と横棧との間に形成された隙間に収まるように葺設する工法であることから、瓦の葺設が容易に行えること、また削り面の尻側が深く形成されていることから、葺設の際に、手間と熟練を要さず行えること等の特徴がある。また横棧に当接する瓦の部位を、横棧当接突起及び／又は横棧係止突起とする構成であり、瓦を横棧と縦棧に係止するとともに、屋根地に確実かつガタツキなく葺設できる葺設工法の提供ができる実益がある。そして、この際に、横棧と横棧当接突起及び／又は横棧係止突起との当接面積の拡充が図れるので、横棧に引掛けを係止した後の葺設作業の簡略化、迅速化等が図れること等の特徴がある。
【発明を実施するための最良の形態】
【００１９】
本発明の一例を説明する。
【００２０】
先ず、防災瓦について説明すると、１は略方形状を呈する瓦本体で、この瓦本体１は、棧山尻隅切込み２を備えた棧山部１ａと、凹形状を呈する谷部１ｂと、差込み頭隅切込み３を備えた差込み部１ｃとで構成する。そして、この瓦本体１には前記棧山尻隅切込み近傍２００に防災用の係止凹片４と、前記差込み頭隅切込みの差込み辺側３００に防災用の係止凸片５が設けられており、この係止凸片５に対する係止凹片４の押圧及び／又は重畳等を利用して耐震、耐風雨、又はズレ防止に役立てる。またこの瓦本体１の表面１Ｘに二条の凹凸形状の水返し突条６、６ａと釘孔７とを形成し、また瓦本体１の裏面１Ｙに引掛け８と横棧当接突起９とを設け、さらに裏面１Ｙに横棧当接突起９に縦設して（瓦本体１の流れ方向の頭側１ロに向かって）横棧係止突起１０を設けるとともに、裏面１Ｙの差込み尻隅側１００に削り面１１を設けた構成である。この横棧当接突起９は、従来の安定駒を利用することも可能であり、この安定駒を利用した場合には、金型、横棧Ａ等の有効利用・取扱いの容易化、又は葺設の容易化等に寄与できる。
【００２１】
尚、横棧係止突起１０の少なくとも係止面１０ａは、横棧当接突起９の係止面９ａと同じ線上に形成して、縦棧Ｂに係止される。またその横棧係止突起１０の下面１０ｂは、谷部尻側裏面１Ｙ−１と同じ面上として、横棧Ａへの接触を図る。この横棧当接突起９の下面９ｂ及び／又は横棧係止突起１０の下面１０ｂと谷部尻側裏面１Ｙ−１とによる横棧Ａへの接触で、この瓦本体１と横棧Ａとの確実、安定した接触が図れ、また防災瓦の防災効果、各防災瓦間のガタツキ防止を介して雨仕舞効果とか、外力による破壊防止効果等が図れる。さらに横棧当接突起９の下面９ｂ及び／又は横棧係止突起１０の下面１０ｂと、谷部尻側裏面１Ｙ−１と横棧Ａとの接触が図れる限り、同じ効果が期待できることから、重宝すること、横棧Ａの選択の幅が広がること、又は横棧当接突起９の下面９ｂ及び／又は横棧係止突起１０の下面１０ｂが欠損等した場合でも対応できること等の特徴がある。前述の如く、横棧当接突起９と横棧係止突起１０とを個別にすることで、成形の容易化、焼成時の歪み防止と、空気・雨水の滞留回避とが図れる特徴がある。この横棧当接突起９は、従来の安定駒で代替することも可能であり、この場合には、例えば、金型の倹約化、葺設・成形作業に経験則を利用できること等の利点がある。
【００２２】
尚、前記の削り面１１は、瓦本体１の頭側１ロから尻側１イに向かって深く削られ、後述するように削り面１１と横棧Ａとで形成する縦棧Ｂの挿入空間（隙間Ｃ）を広く取り、防災瓦の葺設の容易化、縦棧Ｂに掛かる荷重の軽減化、又は使用可能な縦棧Ｂを拡充し（この縦棧Ｂの高さの大小に幅を持たせ）、その汎用性の確保等を図ること、或は削り面１１が衝止しない縦棧Ｂでは、この縦棧Ｂに対する荷重を略０とすること、また場合によりこの縦棧Ｂに必要とされる強度を無視できる材料の使用を可能とすること等を意図する。また葺設の際に、尻側１イの端面が衝止することがなく、葺設の容易化と、瓦本体１の破損の発生が少なくなること等の実益がある。またこの削り面１１を略方形状に形成することで、例えば、金型の製作・取扱い等の容易化、搬送・取扱いの容易化、削り面１１角部等の欠損の回避、又は葺設・成形作業に経験則を利用できること等の利点がある。
【００２３】
次に、縦棧工法について説明すると、屋根地には、地割りに従って数本の横棧Ａと縦棧Ｂとを配設する。そして、軒先の横棧Ａの上面（棟側）Ａ１に瓦本体１の尻側裏面に設けた引掛け８を係止するとともに、横棧Ａの表面Ａ２に少なくとも横棧当接突起９の下面９ｂを当接する。この係止・当接と同時に横棧Ａの表面Ａ２に平坦形状の谷部尻側裏面１Ｙ−１を当接することで、防災瓦の尻側１イと横棧Ａとの係止が図れること、この両方の当接は、防災瓦の安定性の向上が図れること等の利点がある。そして、この葺設時に、縦棧Ｂの側面Ｂ１に尻側１イに設けた横棧係止突起１０の係止面１０ａ及び／又は横棧当接突起９の係止面９ａを当接する。この当接により、地割りに沿った葺設が図れること、また葺設毎に地割り作業を要さず、所謂地割り作業の簡略化が図れること、所定の箇所に防災瓦を葺設できること等の特徴がある。即ち、この瓦本体１の横棧当接突起９の係止面９ａ及び／又は横棧係止突起１０の係止面１０ａの縦棧Ｂの側面Ｂ１への当接を利用することで、例えば、水糸及び熟練された技術を要さず、各防災瓦を所定位置に、かつ筋が通った状態で美麗に葺設できる。また必要時、その他葺き替え時等において、この屋根地の各部位において、それぞれ葺設作業が個別にできること、この場合には、前記の葺設の特徴が利用できること等から、極めて有益な葺設工法である。尚、縦棧Ｂは、横棧Ａと削り面１１と横棧Ａとで形成する挿入空間に配置される構成であって、前述した各種の特徴がある。即ち、この削り面１１の尻側１イが縦棧Ｂの表面Ｂ２に僅かに当接する構造であり（図７参照）、この縦棧Ｂに対する荷重の軽減化、材質の汎用化、コストの削減化、又は縦棧Ｂの硬性程度では、防災瓦の支持の強化が図れること等の特徴がある。
【００２４】
尚、前記横棧当接突起９の下面９ｂ及び／又は横棧係止突起１０の下面１０ｂと谷部尻側裏面１Ｙ−１とによる横棧Ａの表面Ａ２への接触と、前記横棧係止突起１０の係止面１０ａ及び／又は横棧当接突起９の係止面９ａの縦棧Ｂの側面Ｂ１への当接とで、この瓦本体１と横棧Ａ・縦棧Ｂとの確実、安定した接触が図れること、防災瓦の精緻な葺設と、この葺設に基づいて耐震・耐風雨効果、及び雨仕舞の向上が図れること等の特徴がある。この葺設作業を、軒先から棟下まで順次繰返し、かつ適宜釘止めすることで、この桁方向に一連の防災瓦が葺設される。
【００２５】
その後、例えば、次の桁方向の一連の防災瓦を被せ葺きにより葺設する。この葺設における作業は、前述と同様であって、横棧Ａの表面Ａ２に少なくとも横棧当接突起９の下面９ｂと、谷部尻側裏面１Ｙ−１を当接し、同様な係止を図り、かつ特徴を達成する。そして、この葺設時に、縦棧Ｂの側面Ｂ１に尻側１イに設けた横棧当接突起９の係止面９ａ及び／又は横棧係止突起１０の係止面１０ａを当接し、又は縦棧Ｂの表面Ｂ２に削り面１１が当接することで同様な係止を図り、かつ特徴を達成できる。この前記各当接を、個別又は総合的に達成しながら、葺設作業を、軒先から棟下まで順次繰返し、かつ適宜釘止めすることで、この次の桁方向に一連の防災瓦が葺設される。また軒先防災瓦を葺設することは勿論である。
【００２６】
前述した葺設作業を繰返すことで、屋根地に防災瓦が葺かれた後は、棟瓦又は袖瓦等が葺設されることで、屋根の葺設作業が終了する。
【００２７】
尚、前記の葺設時に、この瓦本体１には前記棧山尻隅切込み近傍２００に設けた係止凹片４に、差込み頭隅切込みの差込み辺側３００に設けた係止凸片５を差込み葺設することで、この係止凸片５に対する係止凹片４の押圧及び／又は重畳等を利用して耐震、耐風雨、又はズレ防止に役立て得ることは当然であり、この重畳により防災効果を達成する。
【００２８】
以上は防災瓦に関して説明したが、係止凹片４及び／又は係止凸片５を備えない和形用瓦（図８、図９）でも、縦棧工法は採用できる。尚、この和形瓦の瓦本体１−１は前述の防災瓦の瓦本体１に準ずる。
【図面の簡単な説明】
【００２９】
【図１】本発明の防災瓦の平面図
【図２】本発明の防災瓦の裏面図
【図３】本発明の防災瓦の正面図
【図４】本発明の防災瓦の右側面図
【図５】本発明の防災瓦の左側面図
【図６】本発明の防災瓦と横・縦棧との関係を示した正面図
【図７】本発明の防災瓦と横・縦棧との関係を示した側面図
【図８】本発明の和形用瓦の平面図
【図９】本発明の和形用瓦の裏面図
【符号の説明】
【００３０】
１              瓦本体
１−１          瓦本体
１Ｘ            表面
１Ｙ            裏面
１Ｙ−１        谷部尻側裏面
１イ            尻側
１ロ            頭側
１ａ            棧山部
１ｂ            谷部
１ｃ            差込み部
１００          差込み尻隅側
２              棧山尻隅切込み
２００          棧山尻隅切込み近傍
３              差込み頭隅切込み
３００          差込み頭隅切込みの差込み辺側
４              係止凹片
５              係止凸片
６              水返し突条
６ａ            水返し突条
７              釘孔
８              引掛け
９              横棧当接突起
９ａ            係止面
９ｂ            下面
１０            横棧係止突起
１０ａ          係止面
１０ｂ          下面
１１            削り面
Ａ              横棧
Ａ１            上面
Ａ２            表面
Ｂ              縦棧
Ｂ１            側面
Ｂ２            表面
Ｃ              隙間
【図１】
2005325574.tif 000003
【図２】
2005325574.tif 000004
【図３】
2005325574.tif 000005
【図４】
2005325574.tif 000006
【図５】
2005325574.tif 000007
【図６】
2005325574.tif 000008
【図７】
2005325574.tif 000009
【図８】
2005325574.tif 000010
【図９】
2005325574.tif 000011